(57)【特許請求の範囲】
【請求項１】
判定対象の部屋の容積を示す室内容積情報、及び、当該判定対象の部屋に設置される各家具の容積を合計した設置家具容積情報を取得する取得手段と、
前記取得手段により取得された前記室内容積情報及び前記設置家具容積情報をそれぞれ予め定められたサイズの段ボール箱１箱あたりの容積を基準とした所定のポイントに換算し、当該設置家具容積情報のポイントを前記室内容積情報のポイントで除することにより、前記判定対象の部屋の空間比率を算出する第１の算出手段と、
前記第１の算出手段により算出された前記空間比率が所定値未満の場合、前記判定対象の部屋が快適な空間であると判定する一方で、前記空間比率が所定値以上の場合、前記判定対象の部屋が快適な空間ではないと判定する判定手段と、
を備えることを特徴とする快適空間判定装置。
【請求項２】
ユーザー操作に基づいて、前記判定対象の部屋に設置される各家具のうち設置対象から除外する家具を指定するとともに、当該除外する家具を予め定められた処理の種類ごとに振り分ける振分手段と、
前記振分手段により振り分けられた前記除外する家具の容積を前記処理の種類ごとに合計した処理家具容積情報を前記所定のポイントに換算し、当該処理家具容積情報のポイントに基づいて、各処理にかかる費用を算出する費用算出手段と、
を備えることを特徴とする請求項１に記載の快適空間判定装置。
【請求項３】
前記処理家具容積情報のポイントに基づいて、前記除外する家具を輸送する際の輸送車の車種を選定する車種選定手段を備えることを特徴とする請求項２に記載の快適空間判定装置。
【請求項４】
前記処理には、保管処理が含まれ、
前記振分手段により前記保管処理に振り分けられた前記除外する家具を対象として、当該除外する家具の処理家具容積情報のポイントに基づいて、当該除外する家具の保管方法を選定する保管方法選定手段を備えることを特徴とする請求項３に記載の快適空間判定装置。
【請求項５】
ユーザー操作に基づいて、前記判定対象の部屋に設置される各家具のうちから収納家具を指定するとともに、当該収納家具のタイプを予め定められた複数のタイプのうちから選択する選択手段と、
前記選択手段により選択された前記収納家具のタイプと当該収納家具の容積を示す収納家具容積情報とに基づいて、当該収納家具の快適な収納容積を示す快適収納容積を算出する第２の算出手段と、
前記第２の算出手段により算出された前記収納家具の快適収納容積を前記所定のポイントに換算し、各収納家具の快適収納容積のポイントを合計した快適収納ポイントを導出する導出手段と、
を備えることを特徴とする請求項４に記載の快適空間判定装置。
【請求項６】
前記費用算出手段は、前記各処理にかかる費用を算出する際、前記収納家具に収納する家財から除外する家財の容積を示す家財容積情報を前記所定のポイントに換算した当該家財容積情報のポイントを加味して当該各処理にかかる費用を算出する、
ことを特徴とする請求項５に記載の快適空間判定装置。
【請求項７】
前記車種選定手段は、前記輸送車の車種を選定する際、前記家財容積情報のポイントを加味して当該輸送車の車種を選定することを特徴とする請求項６に記載の快適空間判定装置。
【請求項８】
前記保管方法選定手段は、前記保管方法を選定する際、前記保管処理に振り分けられた前記家財容積情報のポイントを加味して当該保管方法を選定することを特徴とする請求項６又は７に記載の快適空間判定装置。
【請求項９】
コンピューターを、
判定対象の部屋の容積を示す室内容積情報、及び、当該判定対象の部屋に設置される各家具の容積を合計した設置家具容積情報を取得する取得手段、
前記取得手段により取得された前記室内容積情報及び前記設置家具容積情報をそれぞれ予め定められたサイズの段ボール箱１箱あたりの容積を基準とした所定のポイントに換算し、当該設置家具容積情報のポイントを前記室内容積情報のポイントで除することにより、前記判定対象の部屋の空間比率を算出する算出手段、
前記算出手段により算出された前記空間比率が所定値未満の場合、前記判定対象の部屋が快適な空間であると判定する一方で、前記空間比率が所定値以上の場合、前記判定対象の部屋が快適な空間ではないと判定する判定手段、
として機能させるプログラム。
【発明の詳細な説明】
【技術分野】
【０００１】
本発明は、快適空間判定装置及びプログラムに関する。
【背景技術】
【０００２】
従来、実寸比率の三次元見取り図上で室内に設置する家具などのレイアウトをシミュレーションしながら改装費用を算出する室内改装用見積システムが提案されている（例えば、特許文献１参照）。
【先行技術文献】
【特許文献】
【０００３】
【特許文献１】特開２０１０−２８７０８３号公報
【発明の概要】
【発明が解決しようとする課題】
【０００４】
しかしながら、上記特許文献１に開示されている室内改装用見積システムでは、シミュレーションした際の室内の空間が快適な状態であるか否かの判断はユーザーの主観に基づいて行われることとなるため、例えば、改装の知識や経験に乏しいユーザーが当該判断を適切に行うことは難しいという問題がある。
【０００５】
本発明は、このような問題に鑑みてなされたものであり、室内の空間が快適な状態であるか否かの判断を適切且つ容易に行うことを目的とする。
【課題を解決するための手段】
【０００６】
上記課題を解決するため、本発明に係る快適空間判定装置は、
判定対象の部屋の容積を示す室内容積情報、及び、当該判定対象の部屋に設置される各家具の容積を合計した設置家具容積情報を取得する取得手段と、
前記取得手段により取得された前記室内容積情報及び前記設置家具容積情報をそれぞれ予め定められたサイズの段ボール箱１箱あたりの容積を基準とした所定のポイントに換算し、当該設置家具容積情報のポイントを前記室内容積情報のポイントで除することにより、前記判定対象の部屋の空間比率を算出する第１の算出手段と、
前記第１の算出手段により算出された前記空間比率が所定値未満の場合、前記判定対象の部屋が快適な空間であると判定する一方で、前記空間比率が所定値以上の場合、前記判定対象の部屋が快適な空間ではないと判定する判定手段と、
を備えることを特徴とする。
【発明の効果】
【０００７】
本発明によれば、室内の空間が快適な状態であるか否かの判断を適切且つ容易に行うことができる。
【図面の簡単な説明】
【０００８】
【図１】本実施形態の快適空間判定システムの概略構成図である。
【図２】サーバーの機能構成を示すブロック図である。
【図３】端末装置の機能構成を示すブロック図である。
【図４】快適空間判定処理の制御手順を示すフローチャートである。
【図５】快適空間判定画面の一例を示す図である。
【図６】快適空間判定画面の一例を示す図である。
【図７】快適収納ポイント算出処理の制御手順を示すフローチャートである。
【図８】収納家具タイプ入力画面の一例を示す図である。
【図９】収納家具タイプ入力画面の一例を示す図である。
【図１０】除外家具振分処理の制御手順を示すフローチャートである。
【図１１】除外家具振分画面の一例を示す図である。
【図１２】除外家具振分画面の一例を示す図である。
【図１３】各処理詳細画面の一例を示す図である。
【図１４】各処理詳細画面の一例を示す図である。
【図１５】各処理詳細画面の変形例を示す図である。
【発明を実施するための形態】
【０００９】
以下に、本発明について、図面を用いて具体的な態様を説明する。ただし、発明の範囲は、図示例に限定されない。
【００１０】
＜快適空間判定システム１の構成＞
まず、図１を参照して、本実施形態の構成を説明する。図１は、本実施形態の快適空間判定システム１の概略構成図である。
【００１１】
図１に示すように、快適空間判定システム１は、サーバー（快適空間判定装置）２と、複数の端末装置３とを備えている。サーバー２と端末装置３とは通信ネットワークＮを介して情報通信可能に接続される。
【００１２】
サーバー２は、快適空間判定システム１を司る装置であり、クラウド上に設けられている。
【００１３】
端末装置３は、快適空間判定システム１を利用するユーザー（例えば、ホームステージャー）が使用する端末装置である。この端末装置３としては、例えば、ノートＰＣ（Personal Computer）、デスクトップＰＣ等が挙げられる。なお、これに限定されず、スマートフォン、タブレットＰＣ、携帯電話機、ＰＤＡ（Personal Digital Assistant）であってもよい。
【００１４】
通信ネットワークＮは、例えば、インターネットであるものとするが、ＬＡＮ（Local Area Network）等、他のネットワークとしてもよい。
【００１５】
＜サーバー２の構成＞
次に、図２を参照して、サーバー２の機能構成について説明する。図２は、サーバー２の機能構成を示すブロック図である。
【００１６】
図２に示すように、サーバー２は、ＣＰＵ（Central Processing Unit）２１と、ＲＡＭ（Random Access Memory）２２と、記憶部２３と、操作部２４と、表示部２５と、通信部２６とを備えている。また、サーバー２の各部は、バス２７を介して接続されている。
【００１７】
ＣＰＵ（取得手段、第１の算出手段、判定手段、振分手段、費用算出手段、車種選定手段、保管方法選定手段、選択手段、第２の算出手段、導出手段）２１は、記憶部２３に記憶されているシステムプログラムやアプリケーションプログラムといった各種のプログラムを読み出してＲＡＭ２２のワークエリアに展開し、当該プログラムに従ってサーバー２の各部の動作を制御する。例えば、ＣＰＵ２１は、アプリケーションプログラムの実行結果に応じて、端末装置３の表示部３５に当該実行結果に係る表示を行わせるための制御信号を生成し、通信部２６を介して端末装置３に送信する。
【００１８】
ＲＡＭ２２は、例えば、揮発性のメモリであり、ＣＰＵ２１により読み出された各種のプログラムやデータを一時的に格納するワークエリアを有する。
【００１９】
記憶部２３は、例えば、ＨＤＤ（Hard Disk Drive）、ＳＳＤ（Solid State Drive）、ＥＥＰＲＯＭ（Electrically Erasable Programmable Read Only Memory）などにより構成される。
記憶部２３には、ＣＰＵ２１で実行されるシステムプログラム、Ｗｅｂサーバプログラム等のアプリケーションプログラム、これらのプログラムの実行に必要なデータ等が記憶されている。
【００２０】
また、記憶部３２には、コーディネート作業を行った部屋が快適な空間となっているか否かの判定を簡便に行うことが可能なアプリケーションプログラム（以下、快適空間判定アプリと称す）が記憶されている。サーバー２は、端末装置３からの快適空間判定アプリのダウンロード要求に応じて、通信部２６を介して端末装置３に快適空間判定アプリを送信する。
【００２１】
操作部２４は、例えば、キーボード等のキー入力部と、マウス等のポインティングデバイスとを有している。また、操作部２４は、キー入力及び位置入力を受け付け、その操作情報をＣＰＵ２１に出力する。
【００２２】
表示部２５は、例えば、ＬＣＤ（Liquid Crystal Display）や有機ＥＬ（Electro Luminescence）ディスプレイ等から構成されている。また、表示部２５には、ＣＰＵ２１から出力されて入力される表示信号の指示に従って、各種画面を表示する。
【００２３】
通信部２６は、例えば、ネットワークカード等により構成されている。また、通信部２６は、通信ネットワークＮに通信接続されて、通信ネットワークＮ上の機器（例えば、端末装置３等）との通信を行う。
【００２４】
＜端末装置３の構成＞
次に、図３を参照して、端末装置３の機能構成について説明する。図３は、端末装置３の機能構成を示すブロック図である。
【００２５】
図３に示すように、端末装置３は、ＣＰＵ３１と、ＲＡＭ３２と、記憶部３３と、操作部３４と、表示部３５と、無線通信部３６とを備えている。また、端末装置３の各部は、バス３７を介して接続されている。
【００２６】
ＣＰＵ３１は、記憶部３３に記憶されているシステムプログラムやアプリケーションプログラムといった各種プログラムを読み出してＲＡＭ３２のワークエリアに展開し、当該プログラムに従って端末装置３の各部の動作を制御する。例えば、ＣＰＵ３１は、ブラウザなどの情報表示入力プログラムを実行して、操作部３４に対するユーザーの入力操作の内容に基づく情報を無線通信部３６によりサーバー２に送信させたり、サーバー２から受信した情報を表示部３５に表示させたりする。
【００２７】
ＲＡＭ３２は、例えば、揮発性のメモリであり、ＣＰＵ３１により読み出された各種のプログラムやデータを一時的に格納するワークエリアを有する。
【００２８】
記憶部３３は、例えば、ＨＤＤ、ＳＳＤ、ＥＥＰＲＯＭ、フラッシュメモリなどにより構成される。記憶部３３には、ＣＰＵ３１で実行されるシステムプログラムやブラウザ等のアプリケーションプログラム、これらのプログラムの実行に必要なデータ等が記憶されている。
【００２９】
操作部３４は、例えば、キーボード等のキー入力部と、マウス等のポインティングデバイスとを有している。また、操作部３４は、キー入力及び位置入力を受け付け、その操作情報をＣＰＵ３１に出力する。
【００３０】
表示部３５は、例えば、ＬＣＤや有機ＥＬディスプレイ等から構成されている。また、表示部３５には、ＣＰＵ３１から出力されて入力される表示信号の指示に従って、各種画面を表示する。
【００３１】
無線通信部３６は、例えば、アンテナ、変復調回路、信号処理回路等により構成されている。また、無線通信部３６は、通信ネットワークＮに接続されている基地局やアクセスポイント等と無線電波により情報の送受信を行い、通信ネットワークＮ上の機器（例えば、サーバー２等）との通信を行う。
【００３２】
《快適空間判定システム１の動作》
［快適空間判定処理］
まず、サーバー２において実行される快適空間判定処理について説明する。ここで、快適空間判定処理は、快適空間判定アプリを起動させた端末装置３から快適空間判定画面の表示に関する要求信号をサーバー２が受信したことを契機として実行される処理である。
【００３３】
図４は、快適空間判定処理の制御手順を示すフローチャートである。
図４に示すように、サーバー２のＣＰＵ２１は、まず、快適空間判定画面４１（図５参照）を端末装置３の表示部３５に表示させ（ステップＳ１）、各項目の入力を受け付ける（ステップＳ２）。
【００３４】
快適空間判定画面４１では、図５に示すように、「部屋容積」及び「家具容積一覧」のそれぞれの項目に関する情報を入力可能となっている。具体的には、「部屋容積」の項目では、快適空間であるか否かの判定の対象となる部屋の容積に関する情報（例えば、幅、奥行、高さ、平米、立米など）を入力可能となっている。例えば、当該判定の対象となる部屋の幅が３．６ｍ、奥行が２．７ｍ、高さが２．５ｍ、平米が９．７２ｍ２、立米が２４．３０ｍ３である場合、対応する各テキストボックスに上記の数値を、操作部３４を介して入力する。図６は、上記の数値を入力した状態の快適空間判定画面４１を示している。なお、室内空間Ｐ（ポイント）の数値“５１７”は、後述する快適空間判定ボタンＢ１の押下操作がなされたことを契機として表示されるようになっている。また、部屋の高さについては２．５ｍが上限値となっている。
【００３５】
また、快適空間判定画面４１の「家具容積一覧」の項目では、快適空間であるか否かの判定の対象となる部屋に設置する家具に関する情報（例えば、家具名、家具の幅、奥行、高さ、平米、立米など）を入力可能なリスト表Ｌ１が設けられている。例えば、快適空間であるか否かの判定の対象となる部屋にセミダブルベッド、本棚、デスク及び学習机イスを設置する場合、こられの家具の家具名、幅、奥行、高さ、平米、立米を、操作部３４を介してリスト表Ｌ１に入力する。なお、かかる場合に、例えばサーバー２の記憶部２３に記憶されている家具データベースから該当する家具を、操作部３４を介して選択する操作を行うことにより、当該家具の家具名、幅、奥行、高さ、平米、立米をリスト表Ｌ１に自動入力することができるようにしてもよい。図６は、リスト表Ｌ１に上記の家具に関する情報をそれぞれ入力した状態の快適空間判定画面４１を示している。なお、リスト表Ｌ１のうちの各家具に対応する「家具ポイント」の項目の数値、「合計」の項目の数値、及び、「家具合計ポイント」の項目の数値は、後述する快適空間判定ボタンＢ１の押下操作がなされたことを契機として表示されるようになっている。また、家具の幅、奥行、高さの各寸法は、当該家具の最大外寸であるものとする。
【００３６】
また、快適空間判定画面４１では、快適空間判定ボタンＢ１、快適収納Ｐ（ポイント）算出ボタンＢ２及び除外家具振分ボタンＢ３が設けられている。
快適空間判定ボタンＢ１は、快適空間であるか否かの判定の結果を得る際に押下操作されるボタンである。快適収納Ｐ（ポイント）算出ボタンＢ２は、後述する快適収納ポイントを算出する際に押下操作されるボタンである。除外家具振分ボタンＢ３は、快適空間であるか否かの判定の対象となる部屋に設置される家具から除外する家具について当該家具の処理の種類（後述）を決定する際に押下操作されるボタンである。
【００３７】
快適空間判定処理の説明に戻り、ステップＳ２の処理の後、ＣＰＵ２１は、快適空間判定ボタンＢ１の押下操作がなされたか否かを判定する（ステップＳ３）。
【００３８】
ステップＳ３において、快適空間判定ボタンＢ１の押下操作がなされていないと判定された場合（ステップＳ３；ＮＯ）、ＣＰＵ２１は、処理をステップＳ２へ戻し、それ以降の処理を繰り返し行う。
一方、ステップＳ３において、快適空間判定ボタンＢ１の押下操作がなされたと判定された場合（ステップＳ３；ＹＥＳ）、ＣＰＵ２１は、快適空間判定画面４１の「部屋容積」及び「家具容積一覧」のそれぞれの項目に必要事項の入力がなされているか否かを判定する（ステップＳ４）。
【００３９】
ステップＳ４において、「部屋容積」及び「家具容積一覧」のそれぞれの項目に必要事項の入力がなされていないと判定された場合（ステップＳ４；ＮＯ）、ＣＰＵ２１は、必要事項の入力がなされていないことを示すエラーメッセージ（図示省略）を端末装置３の表示部３５に表示させ（ステップＳ５）、処理をステップＳ２へ戻し、それ以降の処理を繰り返し行う。
一方、ステップＳ４において、「部屋容積」及び「家具容積一覧」のそれぞれの項目に必要事項の入力がなされていると判定された場合（ステップＳ４；ＹＥＳ）、ＣＰＵ２１は、快適空間判定画面４１の「判定結果」の項目に快適空間であるか否かの判定の結果を表示させる（ステップＳ６）。具体的には、快適空間判定画面４１の「判定結果」の項目には、図６に示すように、家具合計ポイント、室内空間Ｐ（ポイント）、空間比率及び快適空間判定結果のそれぞれが表示されるようになっている。また、このとき「部屋容積」の項目においても室内空間Ｐ（ポイント）が表示されるようになっている。また、このとき「家具容積一覧」の項目のリスト表Ｌ１において各家具に対応する「家具ポイント」の項目の数値、「合計」の項目の数値、及び、「家具合計ポイント」の項目の数値が表示されるようになっている。
【００４０】
ここで、家具ポイントとは、「家具容積一覧」の項目のリスト表Ｌ１に入力された各家具の立米の値を予め定められたサイズ（幅０．４５ｍ、奥行０．３５ｍ、高さ０．３ｍ）の段ボール箱１箱あたりの容積（０．０４７ｍ３）で除することにより算出されるポイントである。例えば、図６に示すように、セミダブルベッドの立米の値が１．０８ｍ３の場合、家具ポイントは２３．０ポイントとして算出されることとなる。つまり、このセミダブルベッドの容積は、段ボール箱２３．０箱分に相当することを示している。
また、家具合計ポイント（設置家具容積情報のポイント）とは、「家具容積一覧」の項目のリスト表Ｌ１に入力された各家具の家具ポイントを合計したポイントである。
また、室内空間Ｐ（ポイント）（室内容積情報のポイント）とは「部屋容積」の項目に入力された部屋の立米の値（室内容積情報）を上述の段ボール箱１箱あたりの容積（０．０４７ｍ３）で除することにより算出されるポイントである。例えば、図６に示すように、部屋の立米の値が２４．３０ｍ３の場合、室内空間Ｐ（ポイント）は５１７ポイントとして算出されることとなる。つまり、かかる場合の部屋の容積は、段ボール箱５１７箱分に相当することを示している。
また、空間比率とは、家具合計ポイントを室内空間Ｐ（ポイント）で除した値、すなわち快適空間であるか否かの判定の対象となる部屋に対して設置される家具の占める割合を示す値である。例えば、図６に示すように、家具合計ポイントが５３．７、室内空間Ｐ（ポイント）が５１７の場合、空間比率は１０．３９％として算出されることとなる。
また、快適空間判定結果とは、判定の対象の部屋が快適空間であるか否かの判定結果を示すものであり、空間比率が２５％未満の場合、快適空間であるとする判定（ＯＫ判定）がなされ、空間比率が２５％以上の場合、快適空間ではないとする判定（ＮＧ判定）がなされるようになっている。例えば、図６に示すように、空間比率が１０．３９％の場合、快適空間判定結果として快適空間であるとする判定（ＯＫ判定）がなされる。
【００４１】
快適空間判定処理の説明に戻り、ステップＳ６の処理の後、ＣＰＵ２１は、除外家具振分処理（ステップＳ７）を実行し、快適空間判定処理を終了する。なお、除外家具振分処理の詳細については後述する。
【００４２】
［快適収納ポイント算出処理］
次に、サーバー２において実行される快適収納ポイント算出処理について説明する。
図７は、快適収納ポイント算出処理の制御手順を示すフローチャートである。
【００４３】
図７に示すように、ＣＰＵ２１は、まず、快適空間判定画面４１（図６参照）において収納家具の指定入力を受け付ける（ステップＳ１１）。具体的には、ＣＰＵ２１は、図６に示すように、快適空間判定画面４１の「家具容積一覧」の項目に表示されているリスト表Ｌ１の「収納家具」の項目のチェックボックスにより収納家具の指定入力を受け付ける。
【００４４】
次いで、ＣＰＵ２１は、快適収納Ｐ（ポイント）算出ボタンＢ２の押下操作がなされたか否かを判定する（ステップＳ１２）。
【００４５】
ステップＳ１２において、快適収納Ｐ（ポイント）算出ボタンＢ２の押下操作がなされていないと判定された場合（ステップＳ１２；ＮＯ）、ＣＰＵ２１は、処理をステップＳ１１へ戻し、それ以降の処理を繰り返し行う。
一方、ステップＳ１２において、快適収納Ｐ（ポイント）算出ボタンＢ２の押下操作がなされたと判定された場合（ステップＳ１２；ＹＥＳ）、ＣＰＵ２１は、収納家具の指定入力がなされているか否かを判定する（ステップＳ１３）。
【００４６】
ステップＳ１３において、収納家具の指定入力がなされていないと判定された場合（ステップＳ１３；ＮＯ）、ＣＰＵ２１は、収納家具の指定入力がなされていないことを示すエラーメッセージ（図示省略）を端末装置３の表示部３５に表示させ（ステップＳ１４）、処理をステップＳ１１へ戻し、それ以降の処理を繰り返し行う。
一方、ステップＳ１３において、収納家具の指定入力がなされていると判定された場合（ステップＳ１３；ＹＥＳ）、ＣＰＵ２１は、収納家具タイプ入力画面４２（図８参照）を表示部３５に表示させ（ステップＳ１５）、この収納家具タイプ入力画面４２において収納家具タイプの選択入力を受け付ける（ステップＳ１６）。
【００４７】
収納家具タイプ入力画面４２では、図８に示すように、ステップＳ１１で指定入力がなされた収納家具に関する情報の一覧を示す収納家具一覧表Ｌ２が表示される。具体的には、収納家具一覧表Ｌ２では、ステップＳ１１で指定入力がなされた収納家具（例えば、本棚及びデスク）のリスト表Ｌ１の対応する情報が反映され、当該収納家具の名称、並びに、当該収納家具の最大外寸の幅、奥行、高さ及び容積が表示される。また、この収納家具一覧表Ｌ２では、快適空間であるか否かの判定の対象の部屋に作り付けの収納、すなわち当該部屋の間取りの一部になっている収納（例えば、クローゼット、押し入れ等）がある場合、当該収納の名称、並びに、当該収納内寸の幅、奥行、高さ及び容積を収納家具一覧表Ｌ２に操作部３４を介して追加入力することが可能となっている。なお、かかる場合に、例えばサーバー２の記憶部２３に記憶されている家具データベースから該当する収納を、操作部３４を介して選択する操作を行うことにより、当該収納の名称、幅、奥行、高さ、容積を収納家具一覧表Ｌ２に自動入力することができるようにしてもよい。また、一部が収納となっている収納家具（例えば、机、鏡台等）がある場合、収納家具一覧表Ｌ２で当該収納家具を指定した状態にしてクリアボタンＢ５の押下操作を行うことにより、当該収納家具の最大外寸の幅、奥行、高さ及び容積をクリアにし、新たに、当該収納家具の最大外寸ではなく収納部分の外寸の幅、奥行、高さ及び容積を、操作部３４を介して追加入力することが可能となっている。より具体的には、図８に示す収納家具一覧表Ｌ２において“デスク”が一部が収納となっている収納家具に該当する場合、この収納家具一覧表Ｌ２で“デスク”を指定した状態にしてクリアボタンＢ５の押下操作を行うことにより、この“デスク”の最大外寸の幅（１．２０ｍ）、奥行（０．７０ｍ）、高さ（０．７０ｍ）及び容積（０．５９ｍ３）をクリアにし、新たに、“デスク”の最大外寸ではなく収納部分（例えば、引き出し部分）のみの外寸の幅（０．４０ｍ）、奥行（０．５８ｍ）、高さ（０．６５ｍ）及び容積（０．１５ｍ３）を、操作部３４を介して追加入力することが可能となっている（図９参照）。また、かかる場合においても、例えばサーバー２の記憶部２３に記憶されている家具データベースから該当する収納家具（一部が収納となっている収納家具）を、操作部３４を介して選択する操作を行うことにより、当該収納家具の収納部分のみの外寸の幅、奥行、高さ、容積を収納家具一覧表Ｌ２に自動入力することができるようにしてもよい。また、図９に示すように、収納家具一覧表Ｌ２では、「タイプ」の項目に設けられたプルダウンメニューにより収納家具タイプの選択入力が可能となっている。プルダウンメニューには、引き出しタイプ、棚タイプ、引き出しと棚による混合タイプ、作り付けタイプの４つのタイプが設けられており、これらのタイプのうちから一のタイプを、操作部３４を介して選択入力することとなる。
【００４８】
また、収納家具タイプ入力画面４２では、決定ボタンＢ４及びクリアボタンＢ５が設けられている。決定ボタンＢ４は、快適収納ポイントの算出結果を得る際に押下操作されるボタンである。クリアボタンＢ５は、収納家具一覧表Ｌ２に入力された情報（例えば、一部のみ収納になっている収納家具に関する情報等）をクリアする際に押下操作されるボタンである。
【００４９】
快適収納ポイント算出処理の説明に戻り、ステップＳ１６の処理の後、ＣＰＵ２１は、決定ボタンＢ４の押下操作がなされたか否かを判定する（ステップＳ１７）。
【００５０】
ステップＳ１７において、決定ボタンＢ４の押下操作がなされていないと判定された場合（ステップＳ１７；ＮＯ）、ＣＰＵ２１は、処理をステップＳ１６へ戻し、それ以降の処理を繰り返し行う。
一方、ステップＳ１７において、決定ボタンＢ４の押下操作がなされたと判定された場合（ステップＳ１７；ＹＥＳ）、ＣＰＵ２１は、収納家具タイプ入力画面４２の収納家具一覧表Ｌ２に必要事項の入力（例えば、収納家具タイプの入力等）がなされているか否かを判定する（ステップＳ１８）。
【００５１】
ステップＳ１８において、必要事項の入力がなされていないと判定された場合（ステップＳ１８；ＮＯ）、ＣＰＵ２１は、必要事項の入力がなされていないことを示すエラーメッセージ（図示省略）を端末装置３の表示部３５に表示させ（ステップＳ１９）、処理をステップＳ１６へ戻し、それ以降の処理を繰り返し行う。
一方、ステップＳ１８において、必要事項の入力がなされていると判定された場合（ステップＳ１８；ＹＥＳ）、ＣＰＵ２１は、収納家具タイプ入力画面４２（図９参照）において快適収納ポイントを表示させ（ステップＳ２０）、快適収納ポイント算出処理を終了する。
【００５２】
図９に示す収納家具タイプ入力画面４２は、収納家具一覧表Ｌ２に快適収納ポイントが表示された状態の収納家具タイプ入力画面である。
図９に示すように、収納家具一覧表Ｌ２では、各収納家具について「タイプ別掛け率」、「上限容積」、「快適収納比率」、「個別ポイント」の各項目に関する情報が表示されるとともに、快適収納ポイントが表示される。
【００５３】
ここで、タイプ別掛け率は、「タイプ」の項目にて選択入力された収納家具タイプに対応する掛け率であり、棚タイプに対しては７０％、引き出しタイプに対しては４５％、混合タイプに対しては６０％、作り付けタイプに対しては９０％のタイプ別掛け率が設定されている。
また、上限容積は、各収納家具の容積に上述のタイプ別掛け率を乗じることにより得られる容積である。例えば、収納家具一覧表Ｌ２に表示されている本棚の場合、０．６８（容積）に０．７（タイプ別掛け率）を乗じることにより０．４８（上限容積）が得られる。
また、快適収納比率（快適収納容積）は、快適と感じる収納比率を示す値であって、各収納家具の上限容積に０．８を乗じることにより得られる値である。例えば、収納家具一覧表Ｌ２に表示されている本棚の場合、０．４８（上限容積）に０．８を乗じることにより０．３８（快適収納比率）が得られる。
また、個別ポイントは、各収納家具の快適収納比率を上述の段ボール箱１箱あたりの容積（０．０４７ｍ３）で除することにより得られるポイントである。例えば、収納家具一覧表Ｌ２に表示されている本棚の場合、０．３８（快適収納比率）を０．０４７で除することにより８．１（個別ポイント）が得られる。つまり、本棚の快適収納比率は、段ボール箱８．１箱分に相当することを示している。
また、快適収納ポイントは、収納家具一覧表Ｌ２に表示されている各収納家具の個別ポイントを合計したポイントである。なお、個別ポイントを合計した際、小数第１位は繰り上げるものとする。
【００５４】
［除外家具振分処理］
次に、サーバー２において実行される除外家具振分処理について説明する。
図１０は、除外家具振分処理の制御手順を示すフローチャートである。
【００５５】
図１０に示すように、ＣＰＵ２１は、まず、快適空間判定画面４１（図６参照）において除外家具の指定入力を受け付ける（ステップＳ３１）。具体的には、ＣＰＵ２１は、図６に示すように、快適空間判定画面４１の「家具容積一覧」の項目に表示されているリスト表Ｌ１の「除外家具」の項目のチェックボックスにより除外家具の指定入力を受け付ける。
【００５６】
次いで、ＣＰＵ２１は、除外家具振分ボタンＢ３の押下操作がなされたか否かを判定する（ステップＳ３２）。
【００５７】
ステップＳ３２において、除外家具振分ボタンＢ３の押下操作がなされていないと判定された場合（ステップＳ３２；ＮＯ）、ＣＰＵ２１は、除外家具振分処理を終了して、処理を快適空間判定処理へ戻す。
一方、ステップＳ３２において、除外家具振分ボタンＢ３の押下操作がなされたと判定された場合（ステップＳ３２；ＹＥＳ）、ＣＰＵ２１は、除外家具の指定入力がなされているか否かを判定する（ステップＳ３３）。
【００５８】
ステップＳ３３において、除外家具の指定入力がなされていないと判定された場合（ステップＳ３３；ＮＯ）、ＣＰＵ２１は、除外家具の指定入力がなされていないことを示すエラーメッセージ（図示省略）を端末装置３の表示部３５に表示させ（ステップＳ３４）、処理をステップＳ３１へ戻し、それ以降の処理を繰り返し行う。
一方、ステップＳ３３において、除外家具の指定入力がなされていると判定された場合（ステップＳ３３；ＹＥＳ）、ＣＰＵ２１は、除外家具振分画面４３（図１１参照）を表示部３５に表示させ（ステップＳ３５）、この除外家具振分画面４３において除外家具の処理の種類に関する選択入力を受け付ける（ステップＳ３６）。
【００５９】
除外家具振分画面４３では、図１１に示すように、ステップＳ３１で指定入力がなされた除外家具に関する情報の一覧を示す除外家具一覧表Ｌ３が表示される。なお、除外家具の幅、奥行、高さ、容積及び家具ポイントに関する情報については、除外家具一覧表Ｌ３の表示の際に、リスト表Ｌ１の対応する情報が反映され表示されるようになっている。
除外家具一覧表Ｌ３では、図１２に示すように、「処理」の項目に設けられたプルダウンメニューにより除外家具の処理の種類に関する選択入力が可能となっている。プルダウンメニューには、除外家具の処理の種類として、保管、廃棄、移動の３つの種類が設けられており、これらの種類のうちから一の種類の処理を、操作部３４を介して選択入力することとなる。
【００６０】
また、除外家具振分画面４３では、決定ボタンＢ６及びクリアボタンＢ７が設けられている。決定ボタンＢ６は、後述する各処理詳細画面４４を表示部３５に表示させる際に押下操作されるボタンである。クリアボタンＢ７は、除外家具一覧表Ｌ３に選択入力された処理の種類に関する情報をクリアする際に押下操作されるボタンである。
【００６１】
除外家具振分処理の説明に戻り、ステップＳ３６の処理の後、ＣＰＵ２１は、決定ボタンＢ６の押下操作がなされたか否かを判定する（ステップＳ３７）。
【００６２】
ステップＳ３７において、決定ボタンＢ６の押下操作がなされていないと判定された場合（ステップＳ３７；ＮＯ）、ＣＰＵ２１は、処理をステップＳ３６へ戻し、それ以降の処理を繰り返し行う。
一方、ステップＳ３７において、決定ボタンＢ６の押下操作がなされたと判定された場合（ステップＳ３７；ＹＥＳ）、ＣＰＵ２１は、除外家具一覧表Ｌ３の「処理」の項目に処理の種類の選択入力がなされているか否かを判定する（ステップＳ３８）。
【００６３】
ステップＳ３８において、除外家具一覧表Ｌ３の「処理」の項目に処理の種類の選択入力がなされていないと判定された場合（ステップＳ３８；ＮＯ）、ＣＰＵ２１は、処理の種類の選択入力がなされていないことを示すエラーメッセージ（図示省略）を端末装置３の表示部３５に表示させ（ステップＳ３９）、処理をステップＳ３６へ戻し、それ以降の処理を繰り返し行う。
一方、ステップＳ３８において、除外家具一覧表Ｌ３の「処理」の項目に処理の種類の選択入力がなされていると判定された場合（ステップＳ３８；ＹＥＳ）、ＣＰＵ２１は、当該処理の種類の選択入力がなされた各家具（各除外家具）に関する情報を該当する項目のリスト表に反映させた状態の各処理詳細画面４４（図１３参照）を表示部３５に表示させる（ステップＳ４０）。具体的には、図１３に示すように、各処理詳細画面４４では、処理の種類として“保管”が選択入力された本棚に関する情報（幅、奥行、高さ、平米、立米等）が「保管」の項目のリスト表Ｌ４に反映された状態で表示されるようになっている。また、処理の種類として“廃棄”が選択入力された学習机イスに関する情報（幅、奥行、高さ、平米、立米等）が「廃棄」の項目のリスト表Ｌ５に反映された状態で表示されるようになっている。また、処理の種類として“移動”が選択入力されたカラーボックスに関する情報（幅、奥行、高さ、平米、立米等）が「移動」の項目のリスト表Ｌ６に反映された状態で表示されるようになっている。そして、ＣＰＵ２１は、この各処理詳細画面４４において、操作部３４を介して除外家財の入力を受け付ける（ステップＳ４１）。
【００６４】
具体的には、ＣＰＵ２１は、図１３に示すように、各処理詳細画面４４の「保管」、「廃棄」、「移動」の各項目に表示されているリスト表Ｌ４〜Ｌ６において除外家財に関する情報の入力を受け付ける。例えば、上述の快適収納ポイントを超えてしまった分の家財であって保管しておきたい家財については、一ヵ所に集めて当該家財一式の寸法を予め測定しておき、図１４に示すように、リスト表Ｌ４のＮｏ．２の行に保管家財名として“その他家財一式”を入力するとともに、この家財一式の寸法（例えば、幅、奥行、高さ、平米、立米等）を入力する。同様にして、快適収納ポイントを超えてしまった分の家財であって廃棄する家財についても、一ヵ所に集めて当該家財一式の寸法を予め測定しておき、図１４に示すように、リスト表Ｌ５のＮｏ．２の行に廃棄家財名として“その他家財一式”を入力するとともに、この家財一式の寸法（例えば、幅、奥行、高さ、平米、立米等）を入力する。また、快適収納ポイントを超えてしまった分の家財であって移動させる家財についても、一ヵ所に集めて当該家財一式の寸法を予め測定しておき、図１４に示すように、リスト表Ｌ６のＮｏ．２の行に移動家財名として“その他家財一式”を入力するとともに、この家財一式の寸法（例えば、幅、奥行、高さ、平米、立米等）を入力する。
【００６５】
次いで、ＣＰＵ２１は、各処理詳細画面４４に設けられている費用算出ボタンＢ８〜Ｂ１０のいずれかのボタンの押下操作がなされたか否かを判定する（ステップＳ４２）。
【００６６】
ステップＳ４２において、各処理詳細画面４４に設けられている費用算出ボタンＢ８〜Ｂ１０のいずれかのボタンの押下操作がなされたと判定された場合（ステップＳ４２；ＹＥＳ）、ＣＰＵ２１は、該当する処理の費用等を表示部３５に表示させる（ステップＳ４３）。
【００６７】
例えば、図１４に示す各処理詳細画面４４において、費用算出ボタンＢ８の押下操作がなされた場合、「保管」の項目のリスト表Ｌ４において、保管対象である本棚及びその他家財一式の各保管ポイント及び保管ポイント合計が表示されるとともに、「保管費用」の項目において、保管ポイント合計、保管方法、保管料金及び移動種別に関する情報が表示される。ここで、保管ポイントは、保管家具又は保管家財の立米（容積）（家財容積情報）を上述の段ボール箱１箱あたりの容積（０．０４７ｍ３）で除することにより得られるポイントである。また、保管ポイント合計は、リスト表Ｌ４に表示されている保管家具等の保管ポイントを合計したポイントである。なお、各保管ポイントを合計した際、小数第１位は繰り上げるものとする。また、保管方法は、例えば、段ボール箱保管、パレット保管、カーゴテナー保管、コンテナ保管、トランクルーム保管などがあり、保管ポイント合計のポイント数に応じて決定されるようになっている。また、保管料金は、決定された保管方法に対応する料金である。また、移動種別は、例えば、軽トラック、１ｔボックスバン、２ｔトラック、３ｔトラック、４ｔトラックなどがあり、保管ポイント合計のポイント数に応じて決定されるようになっている。
【００６８】
なお、図１４に示す各処理詳細画面４４において、費用算出ボタンＢ８の押下操作がなされた場合、図１５（ａ）に示すように、例えば、当該各処理詳細画面４４の「移動」の項目の下に「保管先までの移動」及び「保管先までの移動費用」の項目を新たに追加して表示させるようにしてもよい。ここで、「保管先までの移動」の項目のリスト表Ｌ７に表示されている各種情報は、上述した「保管」の項目のリスト表Ｌ４において入力された各種情報（図１４参照）が反映されるようになっている。そして、この「保管先までの移動」の項目において、操作部３４を介して搬出先から保管先までの移動距離の入力がなされるとともに、費用算出ボタンＢ１２の押下操作がなされた場合、図１５（ｂ）に示すように、「保管先までの移動費用」の項目において、移動ポイント合計、移動料金及び移動種別に関する情報が表示されることとなる。ここで、移動ポイントは、移動家具又は移動家財の立米（容積）（家財容積情報）を上述の段ボール箱１箱あたりの容積（０．０４７ｍ３）で除することにより得られるポイントである。また、移動ポイント合計は、リスト表Ｌ７に表示されている移動家具等の移動ポイントを合計したポイントである。なお、各移動ポイントを合計した際、小数第１位は繰り上げるものとする。また、移動種別は、例えば、軽トラック、１ｔボックスバン、２ｔトラック、３ｔトラック、４ｔトラックなどがあり、移動ポイント合計のポイント数に応じて決定されるようになっている。また、移動料金は、移動種別、及び、操作部３４を介して入力された移動距離に対応する料金が算出されるようになっている。
【００６９】
また、各処理詳細画面４４の「保管」の項目において、例えば、所定のチェックボックス（図示省略）を予め設けておき、保管家具等の保管先と移動家具等の移動先（移動地区）が同一である場合、ユーザーが当該チェックボックスにチェックを入れた状態で費用算出ボタンＢ８の押下操作を行うことにより、「保管」の項目のリスト表Ｌ４に入力された各種情報を「移動」の項目のリスト表Ｌ６に反映させることができるようにしてもよい。これにより、移動費用を算出する際、保管家具等に関する各種情報をユーザーがリスト表Ｌ６に入力する手間を省くことができるので、当該移動費用の算出を円滑に行うことができるようになる。
【００７０】
また、図１４に示す各処理詳細画面４４において、費用算出ボタンＢ９の押下操作がなされた場合、「廃棄」の項目のリスト表Ｌ５において、廃棄対象である学習机イス及びその他家財一式の廃棄ポイント及び廃棄ポイント合計が表示されるとともに、「廃棄費用」の項目において、廃棄ポイント合計、廃棄料金及び移動種別に関する情報が表示される。ここで、廃棄ポイントは、廃棄家具又は廃棄家財の立米（容積）（家財容積情報）を上述の段ボール箱１箱あたりの容積（０．０４７ｍ３）で除することにより得られるポイントである。また、廃棄ポイント合計は、リスト表Ｌ５に表示されている廃棄家具等の廃棄ポイントを合計したポイントである。なお、各廃棄ポイントを合計した際、小数第１位は繰り上げるものとする。また、廃棄料金は、操作部３４を介して選択入力された行政地区（例えば、東京都渋谷区）に対応する料金が算出されるようになっている。また、移動種別は、例えば、軽トラック、１ｔボックスバン、２ｔトラック、３ｔトラック、４ｔトラックなどがあり、廃棄ポイント合計のポイント数に応じて決定されるようになっている。なお、図１４に示す各処理詳細画面４４において、費用算出ボタンＢ９の押下操作がなされた場合にも、図示は省略するが、例えば、当該各処理詳細画面４４の「移動」の項目の下に「廃棄先までの移動」及び「廃棄先までの移動費用」の項目を新たに追加して表示させ、上述した「保管先までの移動」及び「保管先までの移動費用」の項目と同様の表示制御処理を行うようにしてもよい。
【００７１】
また、図１４に示す各処理詳細画面４４において、費用算出ボタンＢ１０の押下操作がなされた場合、「移動」の項目のリスト表Ｌ６において、移動対象であるカラーボックス及びその他家財一式の各移動ポイント及び移動ポイント合計が表示されるとともに、「移動費用」の項目において、移動ポイント合計、移動料金及び移動種別に関する情報が表示される。ここで、移動ポイントは、移動家具又は移動家財の立米（容積）（家財容積情報）を上述の段ボール箱１箱あたりの容積（０．０４７ｍ３）で除することにより得られるポイントである。また、移動ポイント合計は、リスト表Ｌ６に表示されている移動家具等の移動ポイントを合計したポイントである。なお、各移動ポイントを合計した際、小数第１位は繰り上げるものとする。また、移動種別は、例えば、軽トラック、１ｔボックスバン、２ｔトラック、３ｔトラック、４ｔトラックなどがあり、移動ポイント合計のポイント数に応じて決定されるようになっている。また、移動料金は、移動種別、及び、操作部３４を介して入力された移動距離（搬出先から搬入先までの移動距離）に対応する料金が算出されるようになっている。
【００７２】
除外家具振分処理の説明に戻り、ステップＳ４３の処理の後、又は、ステップＳ４２において、各処理詳細画面４４に設けられている費用算出ボタンＢ８〜Ｂ１０のいずれも押下操作がなされていないと判定された場合（ステップＳ４２；ＮＯ）、ＣＰＵ２１は、端末装置３において終了ボタンＢ１１の押下操作がなされたか否かを判定する（ステップＳ４４）。
【００７３】
ステップＳ４４において、終了ボタンＢ１１の押下操作がなされていないと判定された場合（ステップＳ４４；ＮＯ）、ＣＰＵ２１は、処理をステップＳ４１へ戻し、それ以降の処理を繰り返し行う。
一方、ステップＳ４４において、終了ボタンＢ１１の押下操作がなされたと判定された場合（ステップＳ４４；ＹＥＳ）、ＣＰＵ２１は、除外家具振分処理を終了して、処理を快適空間判定処理へ戻す。
【００７４】
以上のように、本実施形態のサーバー２は、判定対象の部屋の容積を示す室内容積情報、及び、当該判定対象の部屋に設置される各家具の容積を合計した設置家具容積情報を取得し、当該室内容積情報を室内空間Ｐ（ポイント）に換算するとともに、当該設置家具容積情報を家具合計ポイントに換算し、当該家具合計ポイントを当該室内空間Ｐ（ポイント）で除することにより、判定対象の部屋の空間比率を算出し、当該空間比率に基づいて、判定対象の部屋が快適な空間であるか否かを判定する。
したがって、本実施形態のサーバー２によれば、判定対象の部屋の容積を示す室内容積情報と、当該判定対象の部屋に設置される各家具の容積を合計した設置家具容積情報と、が分かれば、室内の空間が快適な状態であるか否かを判断することができるので、当該判断を適切且つ容易に行うことができる。
【００７５】
また、本実施形態のサーバー２によれば、空間比率が２５％未満の場合、判定対象の部屋が快適な空間であると判定する一方で、空間比率が２５％以上の場合、判定対象の部屋が快適な空間ではないと判定するので、室内の空間が快適な状態であるか否かを客観的に判断することができる。
【００７６】
また、本実施形態のサーバー２によれば、ユーザー操作に基づいて、判定対象の部屋に設置される各家具のうち設置対象から除外する家具を指定するとともに、当該除外する家具を予め定められた処理の種類ごとに振り分け、除外する家具の容積を処理の種類ごとに合計した処理家具容積情報を所定のポイントに換算し、当該処理家具容積情報のポイントに基づいて、各処理にかかる費用を算出するので、除外する家具の処理を円滑に進めることができるようになる。
【００７７】
また、本実施形態のサーバー２によれば、処理家具容積情報のポイントに基づいて、除外する家具を輸送する際の輸送車の車種（移動種別）を選定するので、除外する家具の処理をより円滑に進めることができるようになる。
【００７８】
また、本実施形態のサーバー２によれば、保管処理に振り分けられた除外する家具を対象として、当該除外する家具の処理家具容積情報のポイント（保管ポイント）に基づいて、当該除外する家具の保管方法を選定するので、除外する家具の保管処理をより円滑に進めることができるようになる。
【００７９】
また、本実施形態のサーバー２によれば、ユーザー操作に基づいて、判定対象の部屋に設置される各家具のうちから収納家具を指定するとともに、当該収納家具のタイプを予め定められた複数のタイプのうちから選択し、当該収納家具のタイプと当該収納家具の容積を示す収納家具容積情報とに基づいて、当該収納家具の快適な収納容積を示す快適収納容積（快適収納比率）を算出し、当該収納家具の快適収納容積を所定のポイントに換算し、各収納家具の快適収納容積のポイントを合計した快適収納ポイントを導出するので、判定対象の部屋に設置される各収納家具に家財を収納する際、どのくらいの量の家財を収納することができるかの判断をサポートすることができる。また、所定のポイントは、予め定められたサイズの段ボール箱１箱あたりの容積を基準としたポイントであるので、どのくらいの量の家財を収納することができるかの判断を行い易くすることができる。
【００８０】
また、本実施形態のサーバー２によれば、各処理にかかる費用を算出する際、収納家具に収納する家財から除外する家財の容積を示す家財容積情報を所定のポイントに換算した当該家財容積情報のポイントを加味して当該各処理にかかる費用を算出するので、除外する家具及び家財の処理を円滑に進めることができるようになる。
【００８１】
また、本実施形態のサーバー２によれば、輸送車の車種（移動種別）を選定する際、家財容積情報のポイントを加味して当該輸送車の車種を選定するので、除外する家具及び家財の処理をより円滑に進めることができるようになる。
【００８２】
また、本実施形態のサーバー２によれば、保管方法を選定する際、保管処理に振り分けられた家財容積情報のポイントを加味して当該保管方法を選定するので、除外する家具及び家財の保管処理をより円滑に進めることができるようになる。
【００８３】
以上、本発明を実施形態に基づいて具体的に説明してきたが、本発明は上記実施形態に限定されるものではなく、その要旨を逸脱しない範囲で変更可能である。
例えば、上記実施形態において、予め定められたサイズ（幅０．４５ｍ、奥行０．３５ｍ、高さ０．３ｍ）の段ボール箱１箱あたりの容積（０．０４７ｍ３）を基準（１ポイント）として、家具ポイントや室内空間Ｐ（ポイント）などを算出するようにしたが、当該基準となる対象は上記の段ボール箱に限定されるものではない。例えば、予め定められたサイズのパレットやコンテナ１台あたりの容積を基準にして家具ポイントや室内空間Ｐ（ポイント）などを算出するようにしてもよい。
【００８４】
また、上記実施形態において、空間比率が２５％未満の場合、判定対象の部屋が快適な空間であると判定する一方で、空間比率が２５％以上の場合、判定対象の部屋が快適な空間ではないと判定するようにしたが、当該判定の基準値（２５％）は一例であり当該基準値は適宜変更可能である。また、上記実施形態において用いられたタイプ別掛け率も一例であり当該タイプ別掛け率についても適宜変更可能である。
【００８５】
また、上記した実施形態では、本発明に係るプログラムのコンピューター読み取り可能な媒体としてＨＤＤ、ＳＳＤ、ＥＥＰＲＯＭ等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【００８６】
１  快適空間判定システム
２  サーバー（快適空間判定装置）
２１  ＣＰＵ（取得手段、第１の算出手段、判定手段、振分手段、費用算出手段、車種選定手段、保管方法選定手段、選択手段、第２の算出手段、導出手段）
３  端末装置
【要約】
【課題】室内の空間が快適な状態であるか否かの判断を適切且つ容易に行う。
【解決手段】サーバー２は、判定対象の部屋の容積を示す室内容積情報、及び、当該判定対象の部屋に設置される各家具の容積を合計した設置家具容積情報を取得し、当該室内容積情報を室内空間Ｐ（ポイント）に換算するとともに、当該設置家具容積情報を家具合計ポイントに換算し、当該家具合計ポイントを当該室内空間Ｐ（ポイント）で除することにより、判定対象の部屋の空間比率を算出し、当該空間比率に基づいて、判定対象の部屋が快適な空間であるか否かを判定する。
【選択図】図４【図１】
0006664679.tif 000002
【図２】
0006664679.tif 000003
【図３】
0006664679.tif 000004
【図４】
0006664679.tif 000005
【図５】
0006664679.tif 000006
【図６】
0006664679.tif 000007
【図７】
0006664679.tif 000008
【図８】
0006664679.tif 000009
【図９】
0006664679.tif 000010
【図１０】
0006664679.tif 000011
【図１１】
0006664679.tif 000012
【図１２】
0006664679.tif 000013
【図１３】
0006664679.tif 000014
【図１４】
0006664679.tif 000015
【図１５】
0006664679.tif 000016